(57)【要約】【課題】データ放送やインターネットの画面上に表示される電話番号を抽出しこれを用いてユーザが簡単に通話を行えるテレビジョン受信機を提供する。【解決手段】データ放送やインターネットのホームページの画面上に表示される文字情報から電話番号をそのパターンや付加情報などから抽出しこれを用いて自動的にダイアル処理を行いヘッドセットなど用いて受信機単体で通話を可能にする、あるいは抽出された電話番号をユーザが使用する赤外線やブルートゥースなどの無線や有線による通信機能を有した携帯電話や固定電話に転送し通話を可能にする、さらにメモリを付加して画面を表示していなくても記憶された情報から通話を行うことを可能にする。【選択図】図１
2005229492.tif 000002
【特許請求の範囲】
【請求項１】
データ放送受信機能やインターネット接続機能を有するテレビジョン受信機において、
放送信号を受信して所望のチャンネル信号を出力するチューナーと、
前記チューナから出力される映像信号や音声信号などのＴＶ信号を処理するＴＶ信号処理部と、
前記チューナーから出力されるデータ放送信号を処理するデータ放送処理部と、
通信回線との接続を行うためのＮＣＵと、
インターネットに接続し情報をやり取りするためのモデムと、
前記ＮＣＵや前記モデムを通じてやり取りされる情報を処理する情報処理部と、
前記データ放送処理部や前記情報処理部より得られる文字情報から電話をかけるのに必要な電話番号などの情報をそのパターンや付加情報などから抽出しその中からユーザが選択した情報を出力する情報抽出部と、
前記情報抽出部より得られる電話番号などの情報をもとに電話発信を行いその通話を制御したり音声信号を処理する通話処理部と、
スピーカやマイクなどを有し前記通話処理部に接続して使用されユーザが実際の通話を行う通話用端末と、
前記ＴＶ信号処理部や前記データ放送処理部や前記情報処理部や前記情報抽出部や前記通話処理部などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部と、
前記出力処理部に接続された実際に画面を表示ずるディスプレイと、
実際に音声を出力するスピーカとを備え、
データ放送やインターネットの画面上に表示される電話番号などの電話発信に必要な情報を抽出しその中からユーザが選択する情報をもとに自動的に電話発信を行うテレビジョン受信機。
【請求項２】
情報抽出部より抽出される情報を記憶するメモリをさらに備え、
前記情報抽出部はデータ放送処理部や情報処理部より得られる文字情報から電話をかけるのに必要な電話番号などの情報をそのパターンや付加情報などから抽出し、さらに前記メモリに蓄えられた情報も含めてその中からユーザが選択した情報を出力し、
データ放送やインターネットの画面を表示していない時でも前記メモリに蓄えられた電話番号などの情報をユーザが選択し自動的に電話発信を行う請求項１記載のテレビジョン受信機。
【請求項３】
メモリに蓄えられた情報を持ち運び可能なリムーバブルメモリに記録するリムーバブルメモリインターフェースをさらに備え、
データ放送やインターネットの画面を表示していない時でも前記メモリに蓄えられた電話番号などの情報をユーザが選択し自動的に電話発信を行い、さらにその情報を持ち運び可能なリムーバブルメモリに記録して取り出す請求項２記載のテレビジョン受信機。
【請求項４】
通話用端末は携帯電話であり、
情報抽出部より得られる電話番号などの情報を前記携帯電話に赤外線などにより転送するデータ通信部を通話処理部に代えて備え、データ放送やインターネットの画面上に表示される電話番号などの電話発信に必要な情報を抽出しそれを携帯電話に転送して電話発信を行う請求項３記載のテレビジョン受信機。
【請求項５】
通話用端末は固定電話であり、
情報抽出部より得られる電話番号などの情報を前記固定電話に赤外線などの無線や有線により転送するデータ通信部を通話処理部に代えて備え、データ放送やインターネットの画面上に表示される電話番号などの電話発信に必要な情報を抽出しそれをユーザが使用する固定電話に転送する請求項３記載のテレビジョン受信機。
【請求項６】
スピーカやマイクなどを有し実際の通話を行う通話用端末とは別に、固定電話または携帯電話を備えるとともに、
前記情報抽出部より得られる電話番号などの情報をもとに電話発信を行いその通話を制御したり音声信号を処理する、もしくは前記情報抽出部より得られる電話番号などの情報をユーザが使用する携帯電話や固定電話に赤外線などの無線や有線により転送する通話・通信処理部を通話処理部に代えて備え、データ放送やインターネットの画面上に表示される電話番号などの電話発信に必要な情報を抽出し、その中からユーザが選択する情報をもとに自動的に電話発信を行う、もしくは前記情報を携帯電話や固定電話に転送する請求項３記載のテレビジョン受信機。
【発明の詳細な説明】
【技術分野】
【０００１】
本発明は、データ放送受信機能やインターネット接続機能を有しこれらの画面上に表示される電話番号などの電話発信に必要な情報を抽出してこれをユーザが使用する携帯電話や固定電話に転送するもしくはその情報をもとに自動的に発信処理を行いユーザが簡単に通話を開始することを可能にするテレビジョン受信機に関する。
【背景技術】
【０００２】
近年、テレビ放送においてデジタル化が進展し、高画質多チャンネル放送が身近なものとなってきた。今後地上波デジタル放送の開始とともに、これらはますます増加する傾向にある。デジタル放送は高精細な映像を提供するのみならず、伝送帯域を有効的に利用できるため多チャンネル化が可能となりさまざまな番組が提供され通常の番組以外にも音楽チャンネル（ラジオ）や占いなどのデータ番組なども放送されている。デジタル放送の特徴の一つであるデータ放送ではさまざまな文字情報が提供され、例えば番組に関連した情報をリモコン操作で検索できたり天気予報など日常生活に役立つ情報が多数提供されている。さらにデジタル放送の特徴として双方向番組があるが、これは通信回線を通じて例えば視聴者がクイズ番組に参加したりショッピングを行ったりすることを可能にする。近年のブロードバンドの発達により通信速度が飛躍的に向上し、これら通信回線を通じて情報のやり取りを行う番組が今後ますます増加する傾向にある。このブロードバンドの発達はインターネットの世界においてもさまざまな変革をもたらし常時接続環境の提供やユーザが好きなときに好きな番組を観られるビデオオンデマンドなども身近なものとなってきた。テレビジョン受信機においてもデジタル放送を受信するのみならずインターネットにブロードバンド接続し高速に情報をやり取りすることができるものが発売されている。過去にもインターネットに接続できるテレビジョン受信機が発売されたが当時は電話回線に接続するもの（ダイアルアップ接続）であり、通信速度も遅く広く普及するには至らなかった。このようにデータ放送の受信やインターネット接続が可能になるとさまざまな情報が得られるがこれらを利用する際には手間がかかることが多い。リンク形式で派生情報にたどり着けるものも多いが、文字入力が必要な場合に例えばテレビジョン受信機のリモコンのボタン操作のみではかなりの時間を要する。また問い合わせ先などで画面上に表示されることが多い電話番号にアクセスする場合には例えばユーザが一旦メモをとってから電話機でダイアルする必要があり手間がかかる上、その過程で番号を間違える可能性もある。このような手間を要する原因はテレビジョン受信機で得た情報を用いてテレビジョン受信機で自動的に電話をかけ（ダイアルする）ユーザが通話することができないあるいはその情報を別の電話に転送して利用することができないことにある。双方向番組やインターネット接続のため通信回線に接続したテレビジョン受信機においては通信回線に接続された状態にあるためこのような機能を持たすことは可能である。実際に自動ダイアル機能自体はペイパービューなどの際に放送局にアクセスしたりする場合などに活用されているが、この場合あらかじめ決まった電話番号でありまたユーザが電話として通話をすることはできない。これまでに通信回線と接続したテレビに電話機能をつけることが提案されているがこれは単に電話機能を持たせただけであるため上記のようにデータ放送やインターネットで得た情報と連動したダイアル操作は得られない（特許文献１参照）。また放送音声中に混合される応答アクセスするための情報を用いて電話をかける手段が提案されているがこの場合テレビジョン受信機とは別体のアダプタが必要であり、また放送局側でアクセス情報を混合する必要がある（特許文献２参照）。近年、携帯電話が爆発的に普及し携帯電話そのものもその機能が大幅に向上しているがその一つに赤外線やブルートゥースによる外部機器との通信機能がある。赤外線通信を利用しさまざまな家電製品を操作するリモコンとして使用することも提案されている（特許文献３参照）。このような通信機能は携帯電話のみならずあらゆる家電製品において今後ますます活用される傾向にある。
【特許文献１】特開平１１−３１３２６２号公報
【特許文献２】特開平８−１６３５３５号公報
【特許文献３】特開２００１−２３７９２５号公報
【発明の開示】
【発明が解決しようとする課題】
【０００３】
データ放送受信機能やインターネット接続機能を有するテレビジョン受信機において、データ放送やインターネットの画面上に表示される電話番号などの電話発信に必要な情報を抽出しこれをもとに自動的に発信処理を行いユーザがテレビジョン受信機単体で通話することを可能にする、あるいは抽出した電話番号などの電話発信に必要な情報をユーザが使用する携帯電話や固定電話に転送しそれらから発信通話することを可能にするテレビジョン受信機を提供する。
【課題を解決するための手段】
【０００４】
上記課題を解決する為に本発明に係るテレビジョン受信機は、
データ放送受信機能やインターネット接続機能を有するテレビジョン受信機において、
放送信号を受信して所望のチャンネル信号を出力するチューナーと、
前記チューナから出力される映像信号や音声信号などのＴＶ信号を処理するＴＶ信号処理部と、
前記チューナーから出力されるデータ放送信号を処理するデータ放送処理部と、
通信回線との接続を行うためのＮＣＵと、
インターネットに接続し情報をやり取りするためのモデムと、
前記ＮＣＵや前記モデムを通じてやり取りされる情報を処理する情報処理部と、
前記データ放送処理部や前記情報処理部より得られる文字情報から電話をかけるのに必要な電話番号などの情報をそのパターンや付加情報などから抽出しその中からユーザが選択した情報を出力する情報抽出部と、
前記情報抽出部より得られる電話番号などの情報をもとに電話発信を行いその通話を制御したり音声信号を処理する通話処理部と、
スピーカやマイクなどを有し前記通話処理部に接続して使用されユーザが実際の通話を行う通話用端末と、
前記ＴＶ信号処理部や前記データ放送処理部や前記情報処理部や前記情報抽出部や前記通話処理部などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部と、
前記出力処理部に接続された実際に画面を表示ずるディスプレイと、
実際に音声を出力するスピーカとを備え、
データ放送やインターネットの画面上に表示される電話番号などの電話発信に必要な情報を抽出しその中からユーザが選択する情報をもとに自動的に電話発信を行う様に構成する。
【０００５】
また、情報抽出部より抽出される情報を記憶するメモリをさらに備え、
前記情報抽出部はデータ放送処理部や情報処理部より得られる文字情報から電話をかけるのに必要な電話番号などの情報をそのパターンや付加情報などから抽出し、さらに前記メモリに蓄えられた情報も含めてその中からユーザが選択した情報を出力し、
データ放送やインターネットの画面を表示していない時でも前記メモリに蓄えられた電話番号などの情報をユーザが選択し自動的に電話発信を行う様に構成する。
【０００６】
また、メモリに蓄えられた情報を持ち運び可能なリムーバブルメモリに記録するリムーバブルメモリインターフェースをさらに備え、
データ放送やインターネットの画面を表示していない時でも前記メモリに蓄えられた電話番号などの情報をユーザが選択し自動的に電話発信を行い、さらにその情報を持ち運び可能なリムーバブルメモリに記録して取り出す様に構成する。
【０００７】
また、通話用端末は携帯電話であり、
情報抽出部より得られる電話番号などの情報を前記携帯電話に赤外線などにより転送するデータ通信部を通話処理部に代えて備え、データ放送やインターネットの画面上に表示される電話番号などの電話発信に必要な情報を抽出しそれを携帯電話に転送して電話発信を行う様に構成する。
【０００８】
また、通話用端末は固定電話であり、
情報抽出部より得られる電話番号などの情報を前記固定電話に赤外線などの無線や有線により転送するデータ通信部を通話処理部に代えて備え、データ放送やインターネットの画面上に表示される電話番号などの電話発信に必要な情報を抽出しそれをユーザが使用する固定電話に転送する様に構成する。
【０００９】
また、スピーカやマイクなどを有し実際の通話を行う通話用端末とは別に、固定電話または携帯電話を備えるとともに、
前記情報抽出部より得られる電話番号などの情報をもとに電話発信を行いその通話を制御したり音声信号を処理する、もしくは前記情報抽出部より得られる電話番号などの情報をユーザが使用する携帯電話や固定電話に赤外線などの無線や有線により転送する通話・通信処理部を通話処理部に代えて備え、データ放送やインターネットの画面上に表示される電話番号などの電話発信に必要な情報を抽出し、その中からユーザが選択する情報をもとに自動的に電話発信を行う、もしくは前記情報を携帯電話や固定電話に転送する様に構成する。
【発明の効果】
【００１０】
以上のように本発明では、データ放送受信機能やインターネット接続機能を有するテレビジョン受信機において、データ放送やインターネットのホームページの画面上に表示される文字情報から電話をかけるのに必要な電話番号などの情報をそのパターンや付加情報などから抽出する情報抽出部やその情報を用いて自動的にダイアル処理を行いヘッドセットなどの通話用端末を用いてユーザが行う通話を制御する通話処理部あるいはその情報をユーザが使用する携帯電話や固定電話に赤外線やブルートゥースなどの無線や有線により転送を行うデータ通信部あるいは通話処理部とデータ通信部とを融合した通話・通信処理部を付加することなどによりデータ放送やインターネットの画面上に表示される電話番号などの電話発信に必要な情報を抽出しこれをもとに自動的に発信処理を行いユーザがテレビジョン受信機単体で通話することが可能になる、あるいは抽出した電話番号などの電話発信に必要な情報をユーザが使用する携帯電話や固定電話に転送しそれらから発信、通話することが可能になる。さらにメモリやリムーバブルメモリインターフェースを付加することによりデータ放送やインターネットの画面を表示していない時でもメモリに蓄えられた電話番号などの情報から通話をすることが可能になり、また抽出された情報を持ち運び可能なリムーバブルメモリに記録して取り出すことができる。
【発明を実施するための最良の形態】
【００１１】
以下、本発明の実施の形態について、図面を参照しながら説明する。
【００１２】
（実施の形態１）
まず、請求項１に記載の発明について、その詳細を説明する。
【００１３】
図１に本発明の構成図を示す。
【００１４】
図中１０１は放送信号であり、図中１０２は前記放送信号１０１を受信して所望のチャンネル信号を出力するチューナーであり、図中１０３は前記チューナ１０２から出力される映像信号や音声信号などのＴＶ信号を処理するＴＶ信号処理部であり、図中１０４は前記チューナー１０２から出力されるデータ放送信号を処理するデータ放送処理部であり、図中１０５は通信回線であり、図中１０６は前記通信回線１０５との接続を行うためのＮＣＵ（ネットワークコントロールユニット）であり、図中１０７はインターネットに接続し情報をやり取りするためのモデムであり、図中１０８は前記ＮＣＵ１０６や前記モデム１０７を通じてやり取りされる情報を処理する情報処理部であり、図中１０９は前記データ放送処理部１０４や前記情報処理部１０８より得られる文字情報から電話をかけるのに必要な電話番号などの情報をそのパターンや付加情報などから抽出しその中からユーザが選択した情報を出力する情報抽出部であり、図中１１０は前記情報抽出部１０９より得られる電話番号などの情報をもとに電話発信を行いその通話を制御したり音声信号を処理する通話処理部であり、図中１１１はスピーカやマイクなどを有し前記通話処理部１１０に接続して使用されユーザが実際の通話を行う通話用端末であり、図中１１２は前記ＴＶ信号処理部１０３や前記データ放送処理部１０４や前記情報処理部１０８や前記情報抽出部１０９や前記通話処理部１１０などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部であり、図中１１３は前記出力処理部１１２に接続された実際に画面を表示ずるディスプレイであり、図中１１４は前記出力処理部１１２に接続された実際に音声を出力するスピーカである。
【００１５】
以下具体例を挙げてその動作を説明する。
【００１６】
放送信号１０１をチューナ１０２に入力し所望の選局処理を行いＴＶ信号処理部１０３およびデータ放送処理部１０４に出力する。ＴＶ信号処理部１０３では通常のテレビジョン受信機と同様にチューナ１０２から入力される信号に対して同期処理や画質処理など所望の処理を行い映像信号や音声信号を出力する。データ放送処理部１０４では選局されたデータ放送信号に対して例えばＢＭＬの処理を行ったりユーザの操作に応じて別の画面に遷移したりするなどの処理を行った後これらを表示するための信号を出力する。
【００１７】
一方情報処理部１０８はＮＣＵ１０６やモデム１０７を介して通信回線１０５に接続される。この情報処理部１０８では例えばインターネットに接続する場合ＨＴＭＬの処理やＪａｖａ（Ｒ）やＣＧＩなどのスクリプト処理、送受信されるデータの処理（ユーザ入力処理や表示用の出力処理）などが行われる。
【００１８】
情報抽出部１０９ではデータ放送処理部１０４や情報処理部１０８より得られるデータ放送やインターネットの画面中に表示される文字情報から電話をかけるのに必要な電話番号などの情報を抽出する。データ放送やインターネットのホームページでは表示されるデータはＨＴＭＬ形式などのテキストデータとして存在することが多いため例えば次のような方法により電話番号を抽出することが可能になる。その一つに電話番号の数字の並びや数によるパターン抽出が考えられる。電話番号は市外局番やフリーダイヤルの発信番号（０１２０）など固定パターンから始まる。
【００１９】
データ放送やインターネットのホームページでは広範囲からのアクセスがあるということにより市外局番から表示されている場合がほとんどである。そこで市外局番やフリーダイヤルなど固有パターンをライブラリとして格納しておき、表示される文字情報（数字の並んでいる情報）の中から先頭部分がそのパターンに合致するものを電話番号として抽出する。さらに市外局番（フリーダイヤルなども）によって電話番号の数字の個数が決まるため最終的に市外局番とそれに続く数字の個数によりその情報が電話番号かどうか判別できる。あるいは単にある程度の長さの数字の並びを電話番号としてすべて抽出することも可能である。また−（ハイフン）が含まれたものも当然パターン情報で対応可能である。電話番号抽出の別の手段として付加情報による抽出がある。
【００２０】
これは例えばＨＴＭＬ形式などのようにデータの前後にタグを付加するなどしてデータを判別する方法である。送り側でこのタグなどの付加情報を用いて情報を送ってきた場合受信機側では確実に電話番号を抽出することが可能になる。このような方法によって画面中に表示される文字情報から電話番号を抽出することができる。一つの画面に複数の電話番号がある場合にはユーザがこれを画面上で選択することも可能である。抽出された画面上の電話番号をリモコンなどでカーソルを移動させて選択したり一覧を表示してその中から選ぶ方式などが考えられる。
【００２１】
このようにしてユーザは自分がかけたい電話番号を画面を見ながら簡単に選択することができる。通話処理部１１０および通話端末１１１は情報抽出部１０９より得られる電話番号などの情報をもとに電話発信を行いその通話を制御したり音声信号を処理して通話を可能にする一般的な電話機の機能を有する。情報抽出部１０９により得られる電話番号をもとに通話処理部１１０においてダイアル（発信）処理を行いユーザは通話端末１１１により通話することができる。通話処理部１１０で音声処理を行う場合通話端末１１１は例えばヘッドセットのようなスピーカとマイクだけの簡単な構成で実現できる。
【００２２】
これを接続する端子をテレビジョン受信機に装備することで電話をかける時のみ接続すれば通話することが可能になる。あるいはテレビジョン受信機を操作するリモコンにスピーカとマイクを内蔵し親子電話の子機のようにリモコンで通話することも考えられる。出力処理部１１３ではＴＶ信号処理部１０３やデータ放送処理部１０４や情報処理部１０８や情報抽出部１０９や通話処理部１１０などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声でディスプレイ１１３やスピーカ１１４に出力したりする。
【００２３】
例えばデータ放送を見ているときにその中の電話番号に電話をかける場合、もとのデータ放送の画面の上にユーザに対して発信確認を行う画面を表示したり通信状態（発信中、話中など）を表示したりすることが可能である。あるいは音声により操作を誘導することも可能である。このようにデータ放送やインターネットの画面上に表示される電話番号などの電話発信に必要な情報を抽出しその中からユーザが選択する情報をもとに自動的に電話発信を行い通話することが可能になる。またこれをＩＰ電話（インターネットプロトコルを使用した電話）を用いる構成にすることも可能である。この場合通話処理部１１０をＩＰ電話を実現する構成にしモデム１０７を介して通話を行うようにする。
【００２４】
（実施の形態２）
次に請求項２に記載の発明について、その詳細を説明する。
【００２５】
図２にその構成図を示す。
【００２６】
図中２０１は放送信号であり、図中２０２は放送信号２０１を受信して所望のチャンネル信号を出力するチューナーであり図中２０３は前記チューナ２０２から出力される映像信号や音声信号などのＴＶ信号を処理するＴＶ信号処理部であり、図中２０４は前記チューナー２０２から出力されるデータ放送信号を処理するデータ放送処理部であり、図中２０５は通信回線であり、図中２０６は前記通信回線２０５との接続を行うためのＮＣＵであり、図中２０７はインターネットに接続し情報をやり取りするためのモデムであり、図中２０８は前記ＮＣＵ２０６や前記モデム２０７を通じてやり取りされる情報を処理する情報処理部であり、図中２０９は前記データ放送処理部２０４や前記情報処理部２０８より得られる文字情報から電話をかけるのに必要な電話番号などの情報をそのパターンや付加情報などから抽出しさらに後述のメモリ２１０に蓄えられた情報も含めてその中からユーザが選択した情報を出力する情報抽出部であり、図中２１０は前記情報抽出部２０９より抽出される情報を記憶するメモリであり、図中２１１は前記情報抽出部２０９より得られる電話番号などの情報をもとに電話発信を行いその通話を制御したり音声信号を処理する通話処理部であり、図中２１２はスピーカやマイクなどを有し前記通話処理部２１１に接続して使用されユーザが実際の通話を行う通話用端末であり、図中２１３は前記ＴＶ信号処理部２０３や前記データ放送処理部２０４や前記情報処理部２０８や前記情報抽出部２０９や前記通話処理部２１１などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部であり、図中２１４は前記出力処理部２１３に接続された実際に画面を表示ずるディスプレイであり、図中２１５は前記出力処理部２１３に接続された実際に音声を出力するスピーカである。
【００２７】
以下具体例を挙げてその動作を説明する。
【００２８】
放送信号２０１から情報処理部２０８は（実施の形態１）の放送信号１０１から情報処理部１０８と同様の動作を行う。情報抽出部２０９は（実施の形態１）の情報抽出部１０９と同様にデータ放送処理部２０４や情報処理部２０８より得られるデータ放送やインターネットの画面中に表示される文字情報から電話をかけるのに必要な電話番号などの情報をそのパターンや付加情報により抽出する。画面に複数の電話番号がある場合にはユーザが画面を見ながら自分のかけたい電話番号を選択することができる。
【００２９】
さらにメモリ２１０ではこの情報抽出部２０９で抽出された電話番号などの情報を記憶しデータ放送やインターネットの画面を表示していない時などでも電話がかけられるようにするためのものである。このとき例えばユーザが選択する情報を記憶したり画面ごと記憶させることも可能である。もちろん記録するデータが何か区別するためにユーザが任意に情報を付加することもできる。
【００３０】
情報抽出部２０９ではこのメモリ２１０に蓄積された情報も合わせてユーザが自分のかけたい電話番号を抽出することができる。この抽出された情報をもとに通話処理部２１１と通話用端末２１２において（実施の形態１）における通話処理部１１０と通話用端末１１１と同様に通話を行うことができる。
【００３１】
さらに出力処理部２１３およびディスプレイ２１４およびスピーカ２１５は（実施の形態１）における出力処理部１１２およびディスプレイ１１３およびスピーカ１１４と同様にＴＶ信号処理部２０３やデータ放送処理部２０４や情報処理部２０８や情報抽出部２０９や通話処理部２１１などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする。
【００３２】
このようにデータ放送やインターネットの画面上に表示される電話番号などの電話発信に必要な情報を抽出しその中からユーザが選択する情報をもとに自動的に電話発信を行い通話することが可能になりさらにデータ放送やインターネットの画面を表示していない時でもメモリに蓄えられた電話番号などの情報をユーザが選択し自動的に電話発信を行い通話することが可能になる。
【００３３】
（実施の形態３）
次に請求項３に記載の発明について、その詳細を説明する。
【００３４】
図３にその構成図を示す。
【００３５】
図中３０１は放送信号であり、図中３０２は前記放送信号３０１を受信して所望のチャンネル信号を出力するチューナーであり、図中３０３は前記チューナ３０２から出力される映像信号や音声信号などのＴＶ信号を処理するＴＶ信号処理部であり、図中３０４は前記チューナー３０２から出力されるデータ放送信号を処理するデータ放送処理部であり、図中３０５は通信回線であり、図中３０６は前記通信回線３０５との接続を行うためのＮＣＵであり、図中３０７はインターネットに接続し情報をやり取りするためのモデムであり、図中３０８は前記ＮＣＵ３０６や前記モデム３０７を通じてやり取りされる情報を処理する情報処理部であり、図中３０９は前記データ放送処理部３０４や前記情報処理部３０８より得られる文字情報から電話をかけるのに必要な電話番号などの情報をそのパターンや付加情報などから抽出しさらに後述のメモリ３１０に蓄えられた情報も含めてその中からユーザが選択した情報を出力する情報抽出部であり、図中３１０は前記情報抽出部３０９より抽出される情報を記憶するメモリであり、図中３１１は前記メモリ３１０に蓄えられた情報を持ち運び可能なリムーバブルメモリ３１２に記録するリムーバブルメモリインターフェースであり、図中３１３は前記情報抽出部３０９より得られる電話番号などの情報をもとに電話発信を行いその通話を制御したり音声信号を処理する通話処理部であり、図中３１４はスピーカやマイクなどを有し前記通話処理部３１３に接続して使用されユーザが実際の通話を行う通話用端末であり、図中３１５は前記ＴＶ信号処理部３０３や前記データ放送処理部３０４や前記情報処理部３０８や前記情報抽出部３０９や前記通話処理部３１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部であり、図中３１６は前記出力処理部３１５に接続された実際に画面を表示ずるディスプレイであり、図中３１７は前記出力処理部３１５に接続された実際に音声を出力するスピーカである。
【００３６】
以下具体例を挙げてその動作を説明する。
【００３７】
放送信号３０１から情報処理部３０８までは（実施の形態１）の放送信号１０１から情報処理部１０８と同様の動作を行う。情報抽出部３０９は（実施の形態１）の情報抽出部１０９と同様にデータ放送処理部３０４や情報処理部３０８より得られるデータ放送やインターネットの画面中に表示される文字情報から電話をかけるのに必要な電話番号などの情報をそのパターンや付加情報により抽出する。画面に複数の電話番号がある場合にはユーザが画面を見ながら自分のかけたい電話番号を選択することができる。
【００３８】
メモリ３１０では（実施の形態２）のメモリ２１０と同様に情報抽出部３０９で抽出された電話番号などの情報を記録する。さらにリムーバブルメモリインターフェース３１１ではユーザが抽出した情報をリムーバブルディスク３１２により自由に持ち運びできるように情報抽出部３０９で抽出された情報やメモリ３１０に記憶された情報をリムーバブルディスク３１２に転送するものである。もちろんリムーバブルディスク３１２から情報を取り込むことも可能である。
【００３９】
情報抽出部３０９ではメモリ３１０に蓄積された情報やリムーバブルディスク３１２の情報も合わせてユーザが自分のかけたい電話番号を抽出することができる。この抽出された情報をもとに通話処理部３１３と通話用端末３１４において（実施の形態１）における通話処理部１１０と通話用端末１１１と同様に通話を行うことができる。さらに出力処理部３１５およびディスプレイ３１６およびスピーカ３１７は（実施の形態１）における出力処理部１１２およびディスプレイ１１３およびスピーカ１１４と同様にＴＶ信号処理部３０３やデータ放送処理部３０４や情報処理部３０８や情報抽出部３０９や通話処理部３１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする。
【００４０】
このようにデータ放送やインターネットの画面上に表示される電話番号などの電話発信に必要な情報を抽出しその中からユーザが選択する情報をもとに自動的に電話発信を行い通話することが可能になるとともにデータ放送やインターネットの画面を表示していない時でもメモリに蓄えられた電話番号などの情報をユーザが選択し自動的に電話発信を行い通話することができさらにその情報を持ち運び可能なリムーバブルメモリに記録して取り出すことが可能になる。
【００４１】
（実施の形態４）
次に請求項４に記載の発明について、その詳細を説明する。
【００４２】
図４にその構成図を示す。
【００４３】
図中４０１は放送信号であり、図中４０２は前記放送信号４０１を受信して所望のチャンネル信号を出力するチューナーであり、図中４０３は前記チューナ４０２から出力される映像信号や音声信号などのＴＶ信号を処理するＴＶ信号処理部であり、図中４０４は前記チューナー４０２から出力されるデータ放送信号を処理するデータ放送処理部であり、図中４０５は通信回線であり、図中４０６は前記通信回線４０５との接続を行うためのＮＣＵであり、図中４０７はインターネットに接続し情報をやり取りするためのモデムであり、図中４０８は前記ＮＣＵ４０６や前記モデム４０７を通じてやり取りされる情報を処理する情報処理部であり、図中４０９は前記データ放送処理部４０４や前記情報処理部４０８より得られる文字情報から電話をかけるのに必要な電話番号などの情報をそのパターンや付加情報などから抽出しさらに後述のメモリ４１０に蓄えられた情報も含めてその中からユーザが選択した情報を出力する情報抽出部であり、図中４１０は前記情報抽出部４０９より抽出される情報を記憶するメモリであり、図中４１１は前記メモリ４１０に蓄えられた情報を持ち運び可能なリムーバブルメモリ４１２に記録するリムーバブルメモリインターフェースであり、図中４１３は前記情報抽出部４０９より得られる電話番号などの情報をユーザが使用する携帯電話４１４に赤外線などにより転送するデータ通信部であり、図中４１５は前記ＴＶ信号処理部４０３や前記データ放送処理部４０４や前記情報処理部４０８や前記情報抽出部４０９や前記データ通信部４１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部であり、図中４１６は前記出力処理部４１５に接続された実際に画面を表示ずるディスプレイであり、図中４１７は前記出力処理部４１５に接続された実際に音声を出力するスピーカである。
【００４４】
以下具体例を挙げてその動作を説明する。
【００４５】
放送信号４０１からリムーバブルメモリ４１２までは（実施の形態３）における放送信号３０１からリムーバブルメモリ３１２まで同様の動作を行う。データ通信部４１３は情報抽出部４０９より得られる電話番号などの情報をユーザが使用する携帯電話４１４に転送する。例えば赤外線通信機能を有する携帯電話を使用する場合携帯電話同士の通信のようにデータ通信部より赤外線により抽出された電話番号を送信し受信した携帯電話ではこの電話番号を用いて発信し簡単に通話を行うことができる（受信した電話番号を表示して通話ボタンを押すことで通話できるなど）。もちろん赤外線通信以外にもブルートゥースなどの無線通信やケーブルによりデータ転送を行うことも可能である。
【００４６】
このように携帯電話にデータを送信することでテレビジョン受信機に通話できる環境を構築しなくても簡単にデータ放送やインターネットの画面上に表示された電話番号に電話をかけて通話をすることが可能となる。そして出力処理部４１５およびディスプレイ４１６およびスピーカ４１７は（実施の形態１）における出力処理部１１２およびディスプレイ１１３およびスピーカ１１４と同様にＴＶ信号処理部４０３やデータ放送処理部４０４や情報処理部４０８や情報抽出部４０９やデータ通信部４１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする。
【００４７】
このようにデータ放送やインターネットの画面上に表示される電話番号などの電話発信に必要な情報を抽出しそれをユーザが使用する携帯電話に転送してユーザがその情報をもとに携帯電話を用いて電話発信を行い通話することが可能になるとともにデータ放送やインターネットの画面を表示していない時でもメモリに蓄えられた電話番号などの情報をユーザが選択し携帯電話に送信することができ、さらにその情報を持ち運び可能なリムーバブルメモリに記録して取り出すことが可能になる。
【００４８】
（実施の形態５）
次に請求項５に記載の発明について、その詳細を説明する。
【００４９】
図５にその構成図を示す。
【００５０】
図中５０１は放送信号であり、図中５０２は前記放送信号５０１を受信して所望のチャンネル信号を出力するチューナーであり、図中５０３は前記チューナ５０２から出力される映像信号や音声信号などのＴＶ信号を処理するＴＶ信号処理部であり、図中５０４は前記チューナー５０２から出力されるデータ放送信号を処理するデータ放送処理部であり、図中５０５は通信回線であり、図中５０６は前記通信回線５０５との接続を行うためのＮＣＵであり、図中５０７はインターネットに接続し情報をやり取りするためのモデムであり、図中５０８は前記ＮＣＵ５０６や前記モデム５０７を通じてやり取りされる情報を処理する情報処理部であり、図中５０９は前記データ放送処理部５０４や前記情報処理部５０８より得られる文字情報から電話をかけるのに必要な電話番号などの情報をそのパターンや付加情報などから抽出しさらに後述のメモリ５１０に蓄えられた情報も含めてその中からユーザが選択した情報を出力する情報抽出部であり、図中５１０は前記情報抽出部５０９より抽出される情報を記憶するメモリであり、図中５１１は前記メモリ５１０に蓄えられた情報を持ち運び可能なリムーバブルメモリ５１２に記録するリムーバブルメモリインターフェースであり、図中５１３は前記情報抽出部５０９より得られる電話番号などの情報をユーザが使用する固定電話５１４に赤外線などの無線や有線により転送するデータ通信部であり、図中５１５は前記ＴＶ信号処理部５０３や前記データ放送処理部５０４や前記情報処理部５０８や前記情報抽出部５０９や前記データ通信部５１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部であり、図中５１６は前記出力処理部５１５に接続された実際に画面を表示ずるディスプレイであり、図中５１７は前記出力処理部５１５に接続された実際に音声を出力するスピーカである。
【００５１】
以下具体例を挙げてその動作を説明する。
【００５２】
放送信号５０１からリムーバブルメモリ５１２までは（実施の形態３）における放送信号３０１からリムーバブルメモリ３１２まで同様の動作を行う。データ通信部５１３は情報抽出部５０９より得られる電話番号などの情報をユーザが使用する固定電話５１４に転送する。例えばブルートゥースによる通信機能を有する固定電話を使用する場合データ通信部より無線により抽出された電話番号を送信し受信した固定電話ではこの電話番号を用いて発信し簡単に通話を行うことができる（受信した電話番号を表示して通話ボタンを押すことで通話できるなど）。もちろんブルートゥース以外にも赤外線などの無線通信やケーブル、電灯線によるネットワークなどによりデータ転送を行うことも可能である。このように固定電話にデータを送信することでテレビジョン受信機に通話できる環境を構築しなくても簡単にデータ放送やインターネットの画面上に表示された電話番号に電話をかけて通話をすることが可能となる。
【００５３】
そして出力処理部５１５およびディスプレイ５１６およびスピーカ５１７は（実施の形態１）における出力処理部１１２およびディスプレイ１１３およびスピーカ１１４と同様にＴＶ信号処理部５０３やデータ放送処理部５０４や情報処理部５０８や情報抽出部５０９やデータ通信部５１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする。
【００５４】
このようにデータ放送やインターネットの画面上に表示される電話番号などの電話発信に必要な情報を抽出しそれをユーザが使用する固定電話に転送してユーザがその情報をもとに固定電話を用いて電話発信を行い通話することが可能になるとともにデータ放送やインターネットの画面を表示していない時でもメモリに蓄えられた電話番号などの情報をユーザが選択し固定電話に送信することができ、さらにその情報を持ち運び可能なリムーバブルメモリに記録して取り出すことが可能になる。
【００５５】
（実施の形態６）
次に請求項６に記載の発明について、その詳細を説明する。
【００５６】
図６にその構成図を示す。
【００５７】
図中６０１は放送信号であり、図中６０２は前記放送信号６０１を受信して所望のチャンネル信号を出力するチューナーであり、図中６０３は前記チューナ６０２から出力される映像信号や音声信号などのＴＶ信号を処理するＴＶ信号処理部であり、図中６０４は前記チューナー６０２から出力されるデータ放送信号を処理するデータ放送処理部であり、図中６０５は通信回線であり、図中６０６は前記通信回線６０５との接続を行うためのＮＣＵであり、図中６０７はインターネットに接続し情報をやり取りするためのモデムであり、図中６０８は前記ＮＣＵ６０６や前記モデム６０７を通じてやり取りされる情報を処理する情報処理部であり、図中６０９は前記データ放送処理部６０４や前記情報処理部６０８より得られる文字情報から電話をかけるのに必要な電話番号などの情報をそのパターンや付加情報などから抽出しさらに後述のメモリ６１０に蓄えられた情報も含めてその中からユーザが選択した情報を出力する情報抽出部であり、図中６１０は前記情報抽出部６０９より抽出される情報を記憶するメモリであり、図中６１１は前記メモリ６１０に蓄えられた情報を持ち運び可能なリムーバブルメモリ６１２に記録するリムーバブルメモリインターフェースであり、図中６１３は前記情報抽出部６０９より得られる電話番号などの情報をもとに電話発信を行いその通話を制御したり音声信号を処理するもしくは前記情報抽出部より得られる電話番号などの情報をユーザが使用する携帯電話６１５や固定電話６１６に赤外線などの無線や有線により転送する通話・通信処理部であり、図中６１４はスピーカやマイクなどを有し前記通話・通信処理部に接続して使用されユーザが実際の通話を行う通話用端末であり、図中６１７は前記ＴＶ信号処理部６０３や前記データ放送処理部６０４や前記情報処理部６０８や前記情報抽出部６０９や前記通話・通信処理部６１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする出力処理部であり、図中６１８は前記出力処理部６１７に接続された実際に画面を表示ずるディスプレイであり、図中６１９は前記出力処理部６１７に接続された実際に音声を出力するスピーカである。
【００５８】
以下具体例を挙げてその動作を説明する。
【００５９】
放送信号６０１からリムーバブルメモリ６１２までは（実施の形態３）における放送信号３０１からリムーバブルメモリ３１２まで同様の動作を行う。通話・通信処理部６１３では（実施の形態１）における通話処理部１１０および通話用端末１１１と同様に情報抽出部６０９により得られる電話番号をもとにダイアル（発信）処理を行いユーザは通話用端末６１４を用いて通話することができる。
【００６０】
さらに通話・通信処理部６１３では（実施の形態４）におけるデータ通信部４１３および（実施の形態５）におけるデータ通信部５１３と同様に情報抽出部６０９により得られる電話番号などの情報をユーザが使用する携帯電話６１５や固定電話６１６に赤外線やブルートゥースなどの無線通信やケーブル、電灯線によるネットワーク等により転送しこれらから発信、通話を行うことができる。どの方法で通話を行うかはユーザが任意に決定することができる。これらの操作は画面や音声によって誘導されユーザが簡単に操作を行うことができる。また携帯電話６１５や固定電話６１６からデータを取り込んでテレビジョン受信機において通話を行うことも可能である。
【００６１】
そして出力処理部６１７およびディスプレイ６１８およびスピーカ６１９は（実施の形態１）における出力処理部１１２およびディスプレイ１１３およびスピーカ１１４と同様にＴＶ信号処理部６０３やデータ放送処理部６０４や情報処理部６０８や情報抽出部６０９や通話・通信処理部６１３などと接続されユーザの操作や通信状態などに応じてＴＶ放送やデータ放送やインターネット接続したホームページなど所望の映像信号や音声信号を選択して出力したりユーザの操作を誘導したり通信状態などを知らせる各種情報を画面や音声で出力したりする。このようにデータ放送やインターネットの画面上に表示される電話番号などの電話発信に必要な情報を抽出しその中からユーザが選択する情報をもとに自動的に電話発信を行い通話することを可能にするもしくはデータ放送やインターネットの画面上に表示される電話番号などの電話発信に必要な情報を抽出しそれをユーザが使用する携帯電話や固定電話に転送してユーザがその情報をもとに携帯電話や固定電話を用いて電話発信を行い通話することが可能になる。
【産業上の利用可能性】
【００６２】
本発明にかかるテレビジョン受信機は、データ放送やインターネットの画面上に表示される電話番号などの電話発信に必要な情報を抽出しこれをもとに自動的に発信処理を行いユーザがテレビジョン受信機単体で簡単に通話することが可能になるという効果を有し、通信機能を有するテレビジョン受信機に有用である。
【図面の簡単な説明】
【００６３】
【図１】本発明の実施の形態１におけるテレビジョン受信機を示す図
【図２】本発明の実施の形態２におけるテレビジョン受信機を示す図
【図３】本発明の実施の形態３におけるテレビジョン受信機を示す図
【図４】本発明の実施の形態４におけるテレビジョン受信機を示す図
【図５】本発明の実施の形態５におけるテレビジョン受信機を示す図
【図６】本発明の実施の形態６におけるテレビジョン受信機を示す図
【符号の説明】
【００６４】
１０１    放送信号
１０２    チューナー
１０３    ＴＶ信号処理部
１０４    データ放送処理部
１０５    通信回線
１０６    ＮＣＵ（ネットワークコントロールユニット）
１０７    モデム
１０８    情報処理部
１０９    情報抽出部
１１０    通話処理部
１１１    通話用端末
１１２    出力処理部
１１３    ディスプレイ
１１４    スピーカ
【図１】
2005229492.tif 000003
【図２】
2005229492.tif 000004
【図３】
2005229492.tif 000005
【図４】
2005229492.tif 000006
【図５】
2005229492.tif 000007
【図６】
2005229492.tif 000008